(57)【要約】【課題】複数のプラント建設費と，その後のメンテナンス費を低減することができる共用式復水器真空ポンプとする。【解決手段】複数のプラントにおける復水器１ａに接続され、それらの途中に隔離手段を有する吸込ライン２ａと、複数のプラントで共有するスタック７に接続され、その途中に逆流防止手段１２ａと隔離手段１３ａを有する吐出ライン５ａと、移動手段２１を有する一の復水器真空ポンプ３と、吸込ラインと吐出ラインに復水器真空ポンプの吸込口と吐出口をそれぞれ接続する手段とを有する。【選択図】  図１
2007285610.tif 000002
【特許請求の範囲】
【請求項１】
複数のプラントにおける復水器に接続され、それらの途中に隔離手段を有する吸込ラインと、複数のプラントで共有するスタックに接続され、その途中に逆流防止手段と隔離手段を有する吐出ラインと、移動手段を有する一の復水器真空ポンプと、吸込ラインと吐出ラインに復水器真空ポンプの吸込口と吐出口をそれぞれ接続する手段とを有することを特徴とする共用式復水器真空ポンプ。
【請求項２】
分岐された複数の系統の端部が複数のプラントの復水器に接続され、各々隔離手段を経て他プラントからの系統とヘッダーで接続される吸込ラインと、複数のプラントで共有するスタックに接続され、その途中に逆流防止手段と隔離手段を有している吐出ラインと、この吸込ラインと吐出ラインの他端に復水器真空ポンプの吸込口と吐出口をそれぞれ接続する手段とを有することを特徴とする共用式復水器真空ポンプ。
【請求項３】
封水として復水を使用する水封式復水器真空ポンプを備え、その戻り水を復水器に回収する構成とした請求項１または２記載の共用式復水器真空ポンプ。
【請求項４】
前記移動手段として車両を適用し、その車両のエンジンと前記復水器真空ポンプとを回転速度変換機を介して接続し、前記エンジンの駆動力にて前記真空ポンプを運転する構成とした請求項１ないし３記載の共用式復水器真空ポンプ。
【発明の詳細な説明】
【技術分野】
【０００１】
本発明は、原子力発電所や火力発電所においてプラント起動前に復水器内の空気を抽出して外部に放出し、復水器内の真空度を上昇させるための復水器真空ポンプに係り、特に複数のプラントで共用できる共用式復水器真空ポンプに関する。
【背景技術】
【０００２】
従来、原子力発電所や火力発電所では、プラントユニット毎に設置された復水器真空ポンプを使用し、プラント起動前に復水器内の空気を抽出して外部に放出することで、復水器内の真空度を上昇させている。
【０００３】
図３は、このようなプラントユニット毎に設置される復水器真空ポンプが備えられた発電所の復水器空気抽出系統を示している。この図３に示すように、一のプラントユニットＡ０の復水器１０１に対し、吸込ライン１０２を介して一の復水器真空ポンプ１０３がプラントユニット毎に接続されており、この復水器真空ポンプ１０３は封水注入系統１０４から供給された封水を用いて吸い込んだ復水器１０１内の空気を圧縮し、封水とともに吐出ライン１０５に吐き出す構成となっている。吐出ライン１０５に吐き出された空気および封水は、気水分離用タンク１０６で空気と水とに分離される。気水分離用タンク１０６で分離された空気は、プラントユニット毎に設けられたスタック１０７を介して外部に放出され、水は封水戻りライン１０８を通り、復水回収タンク１０９を介して復水器１０１に回収されるようになっている。
【０００４】
なお、従来では、固定配置の２基の復水器真空ポンプを起動し、３基の復水器の真空真空上昇を開始させて、復水器および復水器内ポケット部、配管内部に存在する湿度の高い空気を吸引し、風道管に接続したフィルタユニットにて放射性物質を除去し、タービン建屋に排気して既存の室内喚起設備経由でタービン建屋外へ排気する技術が開示されている（例えば特許文献１参照）。
【０００５】
また、主復水器とは別個の真空ポンプおよび気体廃棄物処理系排ガス復水器を通って外部に排出する脱気系統を有し、主復水器真空ポンプを通った気体の一部を再び主復水器真空ポンプを通るように戻す循環系統を有する技術が提案されている（例えば特許文献２参照）。
【特許文献１】特開２０００−３４６９８４号公報
【特許文献２】特開２００３−３５７９６号公報
【発明の開示】
【発明が解決しようとする課題】
【０００６】
上述した従来の復水器空気抽出系統では、１つの発電サイトに複数のプラントユニットがある場合でも、複数の各ユニットに複数の固定された復水器真空ポンプ３が設置されている。しかし、復水器真空ポンプ３を使用するのは、プラント起動前の数時間のみである。
【０００７】
したがって、従来の技術では、殆どの場合、復水器真空ポンプを複数のプラントユニットで独立的に使用して、プラント起動を行う際に復水器真空ポンプをユニットごとに復水器真空度を上昇させる必要があり、各プラントユニットに略対応する固定的な復水器真空ポンプを設置する必要があり、プラント建設費とその後のメンテナンス費が高くなっていた。
【０００８】
本発明はこのような事情に鑑みてなされたものであり、複数のプラントユニットで共用できる復水器真空ポンプを提供することにより、プラント建設費とその後のメンテナンス費を低減することができる共用式復水器真空ポンプを提供することを目的とする。
【課題を解決するための手段】
【０００９】
前記の目的を達成するため、請求項１に係る発明では、複数のプラントにおける復水器に接続され、それらの途中に隔離手段を有する吸込ラインと、複数のプラントで共有するスタックに接続され、その途中に逆流防止手段と隔離手段を有する吐出ラインと、移動手段を有する一の復水器真空ポンプと、吸込ラインと吐出ラインに復水器真空ポンプの吸込口と吐出口をそれぞれ接続する手段とを有することを特徴とする共用式復水器真空ポンプを提供する。
【発明の効果】
【００１０】
本発明によれば、複数のプラントユニットを有する発電サイトにおいて、復水器真空ポンプを共有することができ、プラント建設費および後のメンテナンス費を低減することができる。
【発明を実施するための最良の形態】
【００１１】
以下、本発明に係る共用式復水器真空ポンプの実施形態について、図１および図２を参照して説明する。
【００１２】
図１は、本発明の一実施形態を示す構成図である。この図１に示すように、本実施形態では複数、例えば２つのプラントユニットＡ１、Ａ２に、それぞれ復水器１ａ、１ｂが設けられている。これらの復水器１ａ、１ｂにはそれぞれ吸込ライン２ａ、２ｂが設けられ、これらの吸込ライン２ａ、２ｂの途中に吸込ライン隔離手段としての隔離弁１１ａ、１１ｂが設けられている。
【００１３】
また、各プラントユニットＡ１、Ａ２には、共有される１本のスタック７が備えられ、このスタック７には各プラントユニットＡ１、Ａ２に対応して、それぞれ吐出ライン５ａ、５ｂが設けられ、これらの吐出ライン５ａ、５ｂには、逆流防止手段としての吐出ライン逆止弁１２ａ、１２ｂ、および隔離手段としての吐出ライン隔離弁１３ａ、１３ｂがそれぞれ設けられている。
【００１４】
一方、プラント起動前に復水器内の空気を抽出して外部に放出し、復水器内の真空度を上昇させるための復水器真空ポンプ３は、移動手段としての車両、例えばトラック２１に搭載されている。そして、このトラック２１に搭載されているエンジン２２は回転速度変換機２３を介して復水器真空ポンプ３に連結され、この復水器真空ポンプ３に駆動力を伝える構成となっている。
【００１５】
また、トラック２１に搭載されている復水器真空ポンプ３は、図示省略のカプラー等を介して例えば一方のプラントユニットＡ１の復水器１ａの吸込ライン２ａと、スタック７の一方の吐出ライン５ａとに接続されている。
【００１６】
そして、一方のプラントユニットＡ１の復水器１ａの真空度を上昇させる場合には、プラントユニットＡ１における復水器１ａの吸込ライン２ａの吸込ライン隔離弁１１ａと、スタック７の一方の吐出ライン隔離弁１３ａとを開とし、トラック２１の回転速度変換機２３を介してトラック２１のエンジン２２の駆動力によって復水器真空ポンプ３を駆動し、プラントユニットＡ１の復水器１ａ内の空気を吸込ライン２ａを介して吸い込み、圧縮した空気を吐出ライン５ａを介してスタック７に送り、スタック７を介して外部に放出する。
【００１７】
起動終了後は、一方のプラントユニットＡ１の吸込ライン隔離弁１１ａとスタック７の一方の吐出ライン隔離弁１３ａとを閉とし、トラック２１の復水器真空ポンプ３を復水器１ａの吸込ライン２ａおよびスタック７の一方の吐出ライン５ａから取外す。
【００１８】
また、他方のプラントユニットＡ２の復水器１ｂの真空度を上昇させる場合には、プラントユニットＡ２における復水器１ｂの吸込ライン２ｂの吸込ライン隔離弁１１ｂと、スタック７の他方の吐出ライン隔離弁１３ｂとを開とし、トラック２１の回転速度変換機２３を介してトラック２１のエンジン２２の駆動力によって復水器真空ポンプ３を駆動し、プラントユニットＡ２の復水器１ｂ内の空気を吸込ライン２ｂを介して吸い込み、圧縮した空気を吐出ライン５ｂを介してスタック７に送り、スタック７を介して外部に放出する。
【００１９】
そして、起動終了後は前記同様に、他方のプラントユニットＡ２の吸込ライン隔離弁１１ｂとスタック７の一方の吐出ライン隔離弁１３ｂとを閉とし、トラック２１の復水器真空ポンプ３を復水器１ｂの吸込ライン２ｂおよびスタック７の一方の吐出ライン５ｂから取外す。
【００２０】
なお、上記の例では２基のプラントユニットＡ１、Ａ２の復水器起動について説明したが、３基以上のプラントユニットについても上記同様に適用することができる。
【００２１】
本実施形態によれば、複数のプラントユニットＡ１、Ａ２‥を有する発電サイトに対して一の復水器真空ポンプ３を共有することができ、プラント建設費および後のメンテナンス費を低減することができる。
【００２２】
図３は本発明の他の実施形態による共用式復水器真空ポンプを示す構成図である。この図３に示す実施形態では、複数のプラントユニットＡ３、Ａ４に復水器１ａ、１ｂが設けられている。各復水器１ａ、１ｂには、隔離弁１１ａ、１１ｂを有する吸込ライン２ａ、２ｂがそれぞれ設けられている。
【００２３】
そして、各プラントユニットＡ３、Ａ４の吸込ライン２ａと２ｂは、互いにヘッダー１０で接続されている。また、複数のプラントユニット３１、３２で共有するスタック７には、途中に逆止弁１２と隔離弁１３とを有を有する吐出ライン５が設けられている。各復水器１ａ，１ｂは、吸込ライン２ａ、２ｂのヘッダー１０を介して真空ポンプ３および吐出ライン５に接続されている。
【００２４】
この実施形態において、一方のプラントユニットＡ３における復水器１ａの真空度を上昇させる場合には、この復水器１ａの吸込ライン２ａの隔離弁１１ａと吐出ライン５の隔離弁１３とを開とし、他方のプラントユニットＡ４における復水器１ｂの吸込ライン２ｂの隔離弁１１ｂを閉として、復水器真空ポンプ３を運転する。これにより、一方のプラントユニットＡ３の復水器１ａ内の空気を吸込ライン２ａおよびヘッダー１０を介して吸い込み、圧縮した空気を吐出ライン５を介してスタック７から外部に放出する。
【００２５】
また、他方のプラントユニットＡ４における復水器１ｂの真空度を上昇させる場合には、上記と逆に、復水器１ｂの吸込ライン２ｂの隔離弁１１ｂと吐出ライン５の隔離弁１３とを開とし、一方のプラントユニットＡ３における復水器１ａの吸込ライン２ａの隔離弁１１ａを閉として、復水器真空ポンプ３を運転する。これにより、他方のプラントユニットＡ４の復水器１ｂ内の空気を吸込ライン２ｂおよびヘッダー１０を介して吸い込み、圧縮した空気を吐出ライン５を介してスタック７から外部に放出することができる。
【００２６】
したがって、この実施形態によっても、上述の一実施形態と同様に、複数のプラントユニットを有する発電サイトに対して一の復水器真空ポンプ３を共有することができ、プラント建設費および後のメンテナンス費を低減することができる。
【００２７】
なお、この例では２基のプラントユニットＡ３、Ａ４の復水器起動について説明したが、３基以上のプラントユニットについても上記同様に適用することができる。
【００２８】
なお、以上の実施形態のほか、本発明では、以下のように種々の態様で実施することができる。
【００２９】
封水として水を使用する水封式復水器真空ポンプとし、その戻り水をプラント外部に放出する構成とする。この構成によれば、封水戻り水の回収手段を別途設ける必要がなく、また水を使用するので復水よりも安価に運転できる。
【００３０】
封水として復水を使用する水封式復水器真空ポンプと、放射線量検出手段を有する吸込ラインと、この放射線量検出手段からの信号を受けて吸込ラインに有している隔離手段とを作動させ、吸込ラインを隔離するとともに、ポンプを停止させる機能を有する制御手段とを備え、戻り水をプラント外部に放出する構成とする。この構成によれば、封水戻り水の回収手段を別途設ける必要がなくなる。
【００３１】
封水として水を使用する水封式復水器真空ポンプと、復水器真空ポンプと共に移動して復水器真空ポンプの吐出水を気水分離する手段と、復水器真空ポンプと共に移動し気水分離手段にて分離された水を冷却器と循環ポンプを介して再び封水として復水器真空ポンプに供給する強制循環ラインと、吸込ラインと吐出ラインの他端にポンプの吸込口と吐出口をそれぞれ接続する手段を有する構成とする。この構成によっても、封水を循環させることで再使用することができるので、封水戻り水の回収手段を別途設ける必要がなくなる。
【図面の簡単な説明】
【００３２】
【図１】本発明の一実施形態による共用式復水器真空ポンプを示す構成図。
【図２】本発明の他の実施形態による共用式復水器真空ポンプを示す構成図。
【図３】従来例を示す構成図。
【符号の説明】
【００３３】
１ａ，１ｂ  復水器
２ａ，２ｂ  吸込ライン
３  復水器真空ポンプ
５ａ，５ｂ  吐出ライン
７  スタック
１１ａ，１１ｂ  吸込ライン隔離弁
１２，１２ａ，１２ｂ  吐出ライン逆止弁
１３，１３ａ，１３ｂ  吐出ライン隔離弁
２１  トラック
２２  エンジン
２３  回転速度変換機
Ａ１〜Ａ４  プラントユニット
【図１】
2007285610.tif 000003
【図２】
2007285610.tif 000004
【図３】
2007285610.tif 000005